(57)【特許請求の範囲】
【請求項１】
錠ケースの案内部に案内されかつ引戸を閉める際にストライク４に当りながら後退動する進退動部材３１と、錠ケースに軸支されかつ進退動部材３１が後退すると動力変換機構を介して先端部４４がストライク４と掛合状態になる鎌片４０とを備える引戸錠に組込まれる引戸錠用引戸はね返り防止機構であって、この引戸はね返り防止機構Ｚは、閉戸時、前記鎌片４０の先端部４４がストライク４と掛合状態となった瞬間に、鎌片４０の後端部の係合歯４６と係合する係合爪５３を有する鎌片仮施錠用係合可動部材５０を一時的にロックすることができるように、一端部が軸支され、一方、自由端部に慣性力によって作動して係合可動部材５０の被係合部５６に係合する係合部６３を有するストッパー的振り子片６０を備えていることを特徴とする引戸錠用引戸はね返り防止機構。
【請求項２】
請求項１に於いて、係合可動部材５０は錠ケース１４に上下動自在に内装され、かつ、係合爪５３が鎌片４０外壁面４０ａに常時圧接するように付勢バネ５２のバネ力により付勢されていることを特徴とする引戸錠用引戸はね返り防止機構。
【請求項３】
請求項１に於いて、振り子片６０は、固定軸２１に軸支され、閉戸時の瞬間、下端部に設けられた係合突起６３が、係合可動部材５０の下端部に横方向に形成された案内部５５を通り、かつ、一時的に係合突起受入用被係合部５６に係合することを特徴とする引戸錠用引戸はね返り防止機構。
【請求項４】
請求項１に於いて、振り子片６０Ａは、固定軸２１Ａに軸支され、閉戸時の瞬間、上端部に形成された係合部６３Ａが、一時的に係合可動部材５０Ａの上端部に設けた被係合部５６Ａに係合することを特徴とする引戸錠用引戸はね返り防止機構。
【請求項５】
請求項４に於いて、錠ケースには振り子片６０Ａを傾倒状態で支持するストッパー７１が設けられていることを特徴とする引戸錠用引戸はね返り防止機構。
【発明の詳細な説明】
【０００１】
【発明の属する技術分野】
本発明は、引戸錠用引戸はね返り防止機構に関する。
【０００２】
【従来の技術】
引戸を戸枠に対して勢い良く閉めた時には、「ドーン」と言う音と共に、跳ね返り現象が生じる。この時普通一般に、引戸は跳ね返って数ミリ程度開く。
【０００３】
引戸錠には色々なタイプのものが存在する。例えば閉戸時に、ストライク（受板）に当たりながら進退動部材（トリガー）が後退すると、この進退動部材の後退動に対応し、ラックやピニオン等の動力変換機構を介して鎌片が回転進出するタイプのものがある。この種の引戸錠は、鎌片の先端部がストライクと掛合状態になると、本施錠部材とは別個の仮施錠部材（鎌片係止用係合可動部材）が同時に作用する。
【０００４】
ところで、跳ね返り現象が生じると、仮施錠部材が、次のような理由から、確実に機能しないという問題があった。
▲１▼進退動部材（トリガー）をストライク（受板）側に復帰させるトリガーバネのバネ力が比較的強い。バネ力が強いと言うことは、引戸を閉めた瞬間に仮施錠用係止機構が十分に働かないと、鎌片が動力変換機構を介して容易に錠ケース内に後退動し易い。
▲２▼そのため、引戸を閉めた瞬間、一時的に跳ね返り現象が生じると、鎌片の係合歯に対する係合可動部材の係合が外れる場合がある。すなわち、鎌片にはバネ力が比較的強いトリガーバネが作用しているから（前記▲１▼の問題点）、鎌片に必要以上の張力が作用すると、トリガーバネのバネ力と相俟って係合可動部材の係合爪が係合歯から外れ、その結果、鎌片が戻ってしまう。このような場合に於いて、理屈的には鎌片の後端部に形成した係合歯のピッチを深くし、係合可動部材の係合爪を確実に係合するように工夫をすれば良い訳であるが、係合歯のピッチ（係合溝）が深くすれば、逆に係合可動部材の係合爪が外れ難くなり、仮施錠部材の解除の容易化を図らなければならないという技術的目的に反することになる。このように引戸の閉戸時に於ける鎌片と係合可動部材との係合関係は微妙な関係にある。
【０００５】
そこで、現在、進退動部材（トリガー）の後退動に対応して鎌片が連動回転する引戸錠に於いて、引戸の跳ね返り現象が存在すること、鎌片と係合可動部材との係合関係は設計ないし製作上微妙に設定する必要があることなどを前提にした上で、「引戸錠の引戸はね返り防止機構」の出現が要望されている。
【０００６】
【発明が解決しようとする課題】
本発明は、閉戸時、トリガー機能を有する進退動部材に連動して鎌片が掛合状態になる際に、しばしば引戸の跳ね返り現象が発生するという日常経験に鑑み、第１の目的は、引戸を閉めた瞬間、鎌片仮施錠用係合可動部材を一時的に係止状態にし、これにより引戸の跳ね返り現状を解消することである。第２の目的は、簡単な機構を合理的に採用することにより、閉戸時に鎌片仮施錠用係合可動部材を一時的に係止状態にすることができることある。第３の目的は、開戸時、引戸を開くだけで良いようにすることができることである。
【０００７】
【課題を解決するための手段】
本発明の引戸錠用引戸はね返り防止機構は、錠ケースの案内部に案内されかつ引戸を閉める際にストライク４に当りながら後退動する進退動部材３１と、錠ケースに軸支されかつ進退動部材３１が後退すると動力変換機構を介して先端部４４がストライク４と掛合状態になる鎌片４０とを備える引戸錠に組込まれる引戸錠用引戸はね返り防止機構であって、この引戸はね返り防止機構Ｚは、閉戸時、前記鎌片４０の先端部４４がストライク４と掛合状態となった瞬間に、鎌片４０の後端部の係合歯４６と係合する係合爪５３を有する鎌片仮施錠用係合可動部材５０を一時的にロックすることができるように、一端部が軸支され、一方、自由端部に慣性力によって作動して係合可動部材５０の被係合部５６に係合する係合部６３を有するストッパー的振り子片６０を備えていることを特徴とする。
【０００８】
上記構成に於いて、係合可動部材５０は錠ケース１４に上下動自在に内装され、かつ、係合爪５３が鎌片４０外壁面４０ａに常時圧接するように付勢バネ５２のバネ力により付勢されていることを特徴とする。
【０００９】
【発明の実施の形態】
図１乃至図６を参照に本発明の第１実施例を説明する。なお、説明の便宜上、発明の実施の環境や構成要件を区分けして説明する。
【００１０】
（１）発明の実施の環境
まず図１を参照に発明の実施の環境について説明する。Ｘは引戸錠で、この引戸錠Ｘは引戸１に固定的に取り付けられている。一方、Ｙは戸枠２に固定的に取り付けられた受け金具で、この受け金具Ｙは、ボックス部を有するトロヨケ３と、このトロヨケ３の開口に重ね合わせられるストライク（受け板）４とから成る。ストライク４は固着手段５を介してトロヨケ３の耳状取付け部に固定される。
【００１１】
ところで、本実施例では、前記トロヨケ４の矩形窓６寄りの適宜部位に、水平押し込みピン７が固定的に突設されている。この押し込みピン７は、閉戸時、後述する進退動部材（トリガー）の先端面に当接する。
【００１２】
（２）錠ケース等
次に図２を参照に錠ケース等について説明する。１４は引戸１の縦框に内装される錠ケースである。該錠ケース１４も引戸錠Ｘの一部を成す。１５は錠ケース１４の開口部側に固定されたフロントである。このフロント５は、普通一般に錠ケース１４の蓋板１６に固定されている。なお、１７は錠ケース、フロントなどを引戸１に固定するための第２固着手段である。
【００１３】
ここで、錠ケース１４の側壁に設けられた軸孔、案内部等について説明する。１８は進退動部材用水平案内板、１９は水平案内板の近傍に設けられたバネ受け垂直板、２０は一側壁１４ｃの中央部に設けられた鎌片用支軸、２１は一側壁１４ｃの下部寄りの部位に設けられた係合可動部材用固定軸、２２は一側壁１４ｃの下部に設けられた係合可動部材用案内軸、２３は一側壁１４ｃと対向する図示しない他側壁に形成した水平案内長孔、水平切欠溝などの進退動部材用案内部である。
【００１４】
ところで、本発明の構成要件には関係はないが、錠ケース１４の一側壁１４ｃには、操作片用の縦長窓２５、本施錠の係止片用枢軸２６が設けられている。そして、フロント１５及び蓋板１６には、進退動部材用案内窓２７及び鎌片用出入り窓２８がそれぞれ形成されている。なお、１４ａは錠ケースの下壁、１４ｂは後壁、１４ｃは一側壁、１４ｄは上壁である。
【００１５】
（３）進退動部材：トリガー
次に図１及び図４を参照に進退動部材（トリガー）について説明する。３１は錠ケース１４内に摺動自在に装着された進退動部材である。この進退動部材３１は、開戸時に錠ケース１４のフロント１５から突出する水平突出杆部３１ａと、この水平突出杆部３１ａにやや幅広に連設する横杆状バネ収容部３１ｂとを有する。
【００１６】
前記バネ収容部３１ｂには仮想線で示すようにトリガーバネ３２が組込まれている。トリガーバネ３２は、その後端部がバネ受け垂直板１９に圧接し、常時水平突出杆部３１ａがフロント１５から突出するように付勢する。
【００１７】
ところで、進退動部材３１の水平突出杆部３１ａは、閉戸時、ストライク４に押し込みピン７を介して当接する。進退動部材３１の上面は、水平案内板１８に摺接し、また進退動部材３１のバネ収容部３１ｂに突設した小突起３３は、図２で示す横方向の案内部２３と係合している。したがって、進退動部材３１は、水平案内板１８及び横方向の案内部２３に案内されてスムースに進退動する。３５は進退動部材３１の下部側壁に形成された動力変換機構の一部（本実施例ではラック）である。
【００１８】
（４）トリガーバネ
前述したトリガーバネ３２は、引戸１の閉戸時に、水平突出杆部３１ａの先端部がストライク４の押し込みピン７に突き当たると、進退動部材３１の後退にしたがって収縮し始める。一方、引戸１を開いて水平突出杆部３１ａの先端部が押し込みピン７から離れると、進退動部材３１の進出にしたがって伸長する。
【００１９】
（５）施錠対象：鎌片
４０は施錠対象の鎌片である。鎌片４０は、基部に動力変換機構の一部（ピニオン）４１を備えると共に、錠ケース１４内に鎌片用支軸２０を介して軸支され、かつ、進退動部材３１の後退動に連動してストライク４と掛合する方何へ回転する。
【００２０】
しかして、鎌片４０は、ピニオン４１を有する基部４３と、ストライク４と係合する鉤状先端部４４と、幅広後端部４５とから成り、前記幅広後端部４５の適宜部位には、仮施錠ないし本施錠時、後述する係合可動部材の係合爪によって係止される連続的な係合歯４６が形成されている。
【００２１】
（６）引戸錠の引戸はね返り防止機構
次に本発明の主要部を説明する。主要部は、錠ケースに組込まれた「引戸はね返り防止機構Ｚ」である。ここで「引戸はね返り防止機構Ｚ」とは、閉戸時、進退動部材３１の水平突出杆部３１ａがストライク４に直接又は間接的に当たり後退動すると、これにより鎌片４０の鉤状先端部４４が回転進出してストライク４と掛合状態になるが、この掛合状態の瞬間に慣性力によって作動したストッパー的振り子片が一時的に鎌片仮施錠用の係合可動部材の係合状態を保持することを言う。
【００２２】
したがって、この引戸はね返り防止機構Ｚは、引戸１の跳ね返り現象により鎌片４０に引張り荷重が作用した時に、鎌片４０の係合歯４６に係合した係合可動部材５０の係合解消方向への戻りを一時的に阻止する機能を果たすが、その阻止機能を一時的に果たした後には、自然に元の非保持状態に戻ることを意味する。そこで、次に鎌片仮施錠用の係合可動部材５０と、この係合可動部材を一時的に保持するストッパー的振り子片６０について説明する。
【００２３】
（７）仮施錠用係合可動部材
図１及び図３を参照にして鎌片仮施錠用係合可動部材５０を説明する。仮施錠用係合可動部材５０は、一枚の鋼板の中央部を折り曲げてチャンネル形状に形成されている。係合可動部材５０は、錠ケース１４内の下方隅角部に鎌片４０を指向するように上下動可能に組込まれている。係合可動部材５０は、下端面中央部に突設されたバネ端支持用小突起５１を有している。この小突起５１には係合可動部材５０の下端面と錠ケース１４の下壁１４ａとの間に設けられた付勢バネ５２が支持されている。付勢バネ５２は係合可動部材５０の係合爪が常時鎌片４０に圧接するように付勢する。
【００２４】
しかして、５３は係合可動部材５０の上端面中央部寄りの部位に山形状に突設された係合爪で、この係合爪５３は、前記付勢バネ５２のバネ力により、鎌片４０のやや弧状の外壁面４０ａに常時圧接している。５４は係合可動部材５０に垂直方向に形成された案内部としての案内長孔で、この案内長孔５４にはガイド機能を有する固定軸２１が入り込んでいる。
【００２５】
５５は係合可動部材５０の下端部に形成された振り子片用案内部で、本実施例では図３を基準にすると、係合可動部材用案内軸２２に案内される中央部の垂直壁５０ａから左端部に向って横方向に所要空間切欠された横切欠部である。５６はこの案内部５５に連通しかつ振り子片６０の係合突起を受入れる被係合部である。この係合突起を受入用被係合部５６は、本実施例では横切欠部の終端部分に連通する弧状の上方切欠部である。
【００２６】
（８）振り子片
ストッパー的振り子片６０は、閉戸時、揺動した係合可動部材５０を一時的に保持する機能を有する。本実施例の振り子片６０は、図３で示すようにトラック形状をした２枚の長板６０ａ，６０ａを下方の連結部６０ｂを介して一体的に構成されている。
【００２７】
しかして、前記長板６０ａ，６０ａの上端部には、係合可動部材５０の案内長孔５４を貫通した固定軸２１用の軸孔６１が形成され、一方、下端部には係合突起としての係合ピン６３用取付け孔６２が形成されている。そして、ストッパー的振り子片６０は、前記固定軸２１を介して揺動可能に係合可動部材５０の一側壁に添設されている。
【００２８】
上記構成に於いて、図１は開戸状態における引戸はね返り防止機構Ｚの状態を示す。この場合、▲１▼進退動部材３１の水平突出杆部３１ａは、トリガーバネ３２のバネ力により、錠ケース１４のフロント１５から多少突出している。▲２▼一方鎌片４０は、錠ケース１４側に回転後退している。▲３▼この時係合可動部材５０の山形状係合爪５３は、付勢バネ５２のバネ力により、鎌片４０の先端部寄りの外壁面４０ａに圧接している。付勢バネ５２は適宜に収縮している。つまり、係合可動部材５０は鎌片４０の先端部に押圧されて下降している。▲４▼振り子片６０は、自重により垂直状態に垂れ下がっている。
【００２９】
一方図４及び図５は、閉戸時の瞬間における引戸はね返り防止機構Ｚの状態を示す。この場合、Ａ）進退動部材３１の水平突出杆部３１ａは、ストライク４の押し込みピン７により錠ケース１４内に深く入り込んでいる。この時進退動部材３１は、トリガーバネ３２のバネ力に抗して錠ケース１４内に後退動している。Ｂ）一方鎌片４０は、進退動部材３１の後退に連動して回転進出し、その先端部４４がストライク４と掛合状態となる。この時鎌片４０は、支軸２０を中心に動力変換機構３５，４１を介して回転する。Ｃ）鎌片４０の先端部４４がストライク４と掛合状態となり、鎌片４０の後端部が係合可動部材５０に圧接状態で摺接する。したがって、係合可動部材５０の山形状係合爪５３は、付勢バネ５２のバネ力により、先端部の連続的な係合歯４６に一つに選択的に係合する。本実施例では山形状係合爪５３は、後から３番目の係合歯４６に係合している。Ｄ）振り子片６０は、固定軸２１を支点に時計方向へ回転する。この時振り子片６０の係合ピン６３は横方向の案内部５５を通り、一時的に係合突起受入用被係合部５６に係合する。図５は、閉戸時の瞬間、振り子片６０の係合ピン６３が慣性力によって作動し、一時的に係合可動部材５０の係合突起受入用被係合部５６に係合した状態を示している。この一時的ではあるが、振り子片６０がストッパーの機能を果たすので、係合可動部材５０は下降することができない。したがって、鎌片４０が一時的に引戸はね返り防止機構Ｚによりロックされ、引戸１の跳ね返りを止めることができる。Ｅ）振り子片６０が慣性力により係合可動部材５０に係合した後、自重により元の状態に戻る。図６はその状態を示している。
【００３０】
なお、図６では、その後に本施錠機構を構成するスライド駆動板６５が矢印方向に下降し、これに連動して鎌片４０の後端面をロックする係止片６６が時計方向へと回転している状態を示している。
【００３１】
【実施例】
この欄では、当業者の立場から均等的に設計変更可能な実施例の一例（これを第２実施例とする）を示す。なお、第２実施例の説明にあたって、第１実施例と同一の部分には、同一又は同様の符合を付して重複する説明を省略する。
【００３２】
第２実施例において、前記第１実施例と主に異なる点は、振り子片６０Ａの支点を下方にし、振り子片６０Ａの上端部を係合可動部材５０Ａに一時的に係合するようにしたことである。閉戸時、慣性力によって振り子片６０Ａが揺動し、係合可動部材５０に係合した後、自重により自然と係合状態が解消される点は、第１実施例と同様である。
【００３３】
まず符合７１は錠ケース１４の一側壁の下端部に設けた振り子片６０Ａ用のストッパーで、このストッパー７１は振り子片６０Ａを図示するように傾倒状態に支持することができると共に、ガイド機能を有する。２１Ａは案内軸２２の近傍に設けられた固定軸で、この固定軸２１Ａも第１実施例の固定軸２１と同様に係合可動部材５０Ａを上下方向に案内するガイド機能を有する。５２Ａは付勢バネである。
【００３４】
次に５６Ａは係合可動部材５０Ａの上端部に突設された被係合部、５４Ａは係合可動部材５０Ａの下端部に形成された切欠状案内部（＝案内長孔５４）、５１Ａは係合可動部材５０Ａの右下端部に突設された付勢バネ支持用小突起である。
【００３５】
最後に６３Ａは振り子片６０Ａの上端部に形成された弧状ないし鉤状の係合部、７２は振り子片６０Ａの中央部の右側に突出形成された錘部である。
【００３６】
この第２実施例は、係合凹所６３Ａと係合凸部５６Ａとの関係、係合可動部材５０Ａと振り子片６０Ａとの係合関係が第１実施例とは逆の発想になっている。しかし、このような実施例は、作用・効果が実質的に第１実施例と同様である。
【００３７】
【発明の効果】
以上の説明から明らかなように、本発明にあっては、次に列挙するような効果がある。
（１）引戸を閉めた瞬間、鎌片仮施錠用係合可動部材を一時的に係止状態にし、これにより引戸の跳ね返り現状を解消することができる。
（２）簡単な機構を合理的に採用することにより、閉戸時に鎌片仮施錠用係合可動部材を一時的に係止状態にすることができる。
（３）構成する部品点数を少なく、かつ、各構成部材を合理的に組合わせたので、製作、組合わせなどが容易である。
（４）振り子片は、自重で自然に元の位置へと戻るので、開戸時、引戸を開くだけで良い。
【図面の簡単な説明】
図１乃至図６は本発明の第１実施例を示す各説明図。図７乃至図９は本発明の第２実施例を示す各説明図。
【図１】発明の実施形態の一例を示す概略説明図（引戸を開いた解錠状態）。
【図２】錠ケースの概略縦断面説明図。
【図３】主要部材の分解説明図。
【図４】閉戸時瞬間の作動状態の概略説明図。
【図５】主要部の拡大説明図。
【図６】振り子片が自然に元の状態に戻った説明図（その後に本施錠をする）。
【図７】第２実施例に於いて、閉戸時瞬間の作動状態の概略説明図。
【図８】主要部材の分解説明図。
【図９】振り子片が自然に元の状態に戻った説明図（その後に本施錠をする）。
【符号の説明】
Ｘ…引戸錠、１…引戸、Ｙ…受け金具、２…戸枠、３…トロヨケ、４…ストライク、７…押し込みピン、１４…錠ケース、１５…フロント、１６…蓋板、５，１７…固着手段、２０…鎌片用支軸、２１，２１Ａ…固定軸、２２…案内軸、３１…進退動部材、３２…トリガーバネ、３５…ラック、４０…鎌片、４１…ピニオン、４３…基部、４４…鉤状先端部、４５…後端部、４６…係合歯、５０，５０Ａ…係合可動部材、５１…小突起、５２，５２Ａ…付勢バネ、５４，５４Ａ…案内部、５３…係合爪、５６，５６Ａ…被係合部、６０，６０Ａ…振り子片、６３…係合部、７１…ストッパー。
【図１】
0003940261.tif 000002
【図２】
0003940261.tif 000003
【図３】
0003940261.tif 000004
【図４】
0003940261.tif 000005
【図５】
0003940261.tif 000006
【図６】
0003940261.tif 000007
【図７】
0003940261.tif 000008
【図８】
0003940261.tif 000009
【図９】
0003940261.tif 000010